(57)【特許請求の範囲】
【請求項１】
プラスチックフィルムの真空成形により多数のキャップを形成したキャップフィルムのキャップ底面に、平坦なバックフィルムを貼り、キャップの頂を連ねて、もう１枚の平坦なフィルムであるライナーフィルムを貼って得た三層構成のプラスチック気泡シートの上に、プラスチックフィルムの表面に絵柄の印刷を施した絵柄フィルム、および不織布をこの順に積層してなり、それによって水に濡れたときに外観が変化して独特の趣味感を与えることを特徴とするレジャーシート。
【請求項２】
不織布が、耐水性の高いポリエチレンまたはポリプロピレン製である請求項１のレジャーシート。
【請求項３】
絵柄印刷を施したフィルムの表面に、またはライナーフィルムの表面に、ベタ印刷または金属蒸着の層を有する請求項１のレジャーシート。
【請求項４】
請求項１に記載したレジャーシートを製造する方法であって、絵柄の印刷を施したプラスチックフィルムの絵柄の上に不織布を貼った複合シートを用意しておき、溶融したプラスチックフィルムを連続的に真空成形してキャップフィルムを形成するとともに、キャップ底面にバックフィルムを貼り合わせて二層構成のプラスチック気泡シートを形成し、それと同時に上記の複合シートをバックフィルムの上に貼り合わせ、ついで、キャップの頂を連ねてライナーフィルムを貼ってプラスチック気泡シートを三層構成とすることからなる製造方法。
【発明の詳細な説明】
【０００１】
【発明の属する技術分野】
本発明は、海岸、川岸、湖岸など水のあるところにおけるピクニック、あるいはプールサイドなどで使用するに適したレジャー用のシートと、その製造方法に関する。
【０００２】
【従来の技術】
ピクニックの際、野原に座るときに敷くレジャー用のシートが、ポリエチレンのフラットヤーンを平織りして得たクロスなどで製造され、使用されている。クロスとフィルムとの積層材もある。シートの下の凹凸を緩和し、緩衝作用を期待するときは、プラスチック気泡シート、すなわちプラスチックフィルムの真空成形により多数のキャップを形成したキャップフィルムのキャップ底面に平坦なバックフィルムを貼って、多数の密閉された空気室を有するシート（以下、単に「気泡シート」という）を併用することがある。この用途に対しては、三層構成の気泡シート、すなわちキャップの頂を連ねて、もう１枚の平坦なフィルムであるライナーフィルムを貼って得た気泡シートが好適である。
【０００３】
発明者らは、この種のレジャーシートにおいて、それ自体が緩衝機能を有するものとして、上記三層構成の気泡シートを使用し、これに意匠性を与えるため、絵柄印刷を施したフィルムとの積層材を種々試作した。製品はいずれも、絵柄に応じてそれなりの意匠性を有するものになるが、概して平凡なものであり、それ以上の趣味感を持つものではない。
【０００４】
【発明が解決しようとする課題】
本発明の目的は、気泡シートと絵柄印刷フィルムとの積層材からなるレジャーシートであって、とくに水に濡れる可能性のあるものにおいて、単なる絵柄のもつ意匠感に止まらず、水に濡れて外観が変化することにより、独特の趣味感を与えるものを提供することにある。
【０００５】
【課題を解決するための手段】
本発明のレジャーシートは、図１に断面の構成を示すように、プラスチックフィルムの真空成形により多数のキャップを形成したキャップフィルム（１１）のキャップ底面に、平坦なバックフィルム（１２）を貼り、キャップの頂を連ねてもう１枚の平坦なフィルムであるライナーフィルム（１３）を貼って得た三層構成のプラスチック気泡シート（１）の上に、プラスチックフィルム（２１）の表面に絵柄の印刷（２２）を施した絵柄フィルム（２）、および不織布（３）をこの順に積層してなり、それによって水に濡れたときに外観が変化して独特の趣味感を与えることを特徴とするレジャーシートである。
【０００６】
このレジャーシートは、図２に外観の一例を示すように、通常の乾いた状態では、絵柄印刷（２２）がその上を覆う不織布（３）により隠されているため、ぼんやりとしか見えない。したがって、渋く上品な印象のシートである。図２において、（Ａ）の部分は、乾いた状態を示す。このレジャーシートが水に濡れると、不織布（３）が水を含んで透明性が増すため、隠れていた絵柄印刷（２２）が、一転して鮮明に見える。図２における（Ｂ）の部分は、その状態を示す。濡れ方が全面一挙でなく一部であったり、徐々に進行したりするものであれば、それに応じて、絵柄が漠然から鮮明に変化する様子も異なる。
【０００７】
【発明の実施形態】
気泡シートの材料は、常用のポリエチレンやポリプロピレンが適当である。気泡の径や高さ、各シートの厚さなどは、製品レジャーシートの使用される状況に応じて選択すればよく、既製品の中に適切な気泡シートが見出せるであろう。不織布は、耐水性の高いポリエチレンまたはポリプロピレン製が好適である。上記した機構で絵柄の見え方を変化させる材料であるから、乾燥時と水濡れ時とで透明性がどのように変わるかを確認し、適切なものを選ぶ。
【０００８】
本発明のレジャーシートは、上述した層構成に、変化をもたせることが可能である。たとえば、絵柄印刷を施したフィルムの表面に、またはライナーフィルムの表面に、ベタ印刷または金属蒸着の層を設けたものなどである。このレジャーシートの緩衝性能は、気泡シートの仕様によって決定される。緩衝性能が高いことを望む場合は、キャップが大粒の気泡シート、たとえば直径２０mm×高さ８mmのもの、または直径３０mm×高さ１２mmのものを選ぶとよい。
【０００９】
本発明のレジャーシートを製造する方法は、下記の諸工程からなる。まず、プラスチックフィルム（２１）の表面に絵柄の印刷（２２）を施して、絵柄フィルム（２）を用意し、その絵柄の上に不織布（３）を貼った複合シート（４）を用意しておく。つぎに、図３に示すように、溶融押出したキャップフィルム用のプラスチックフィルム（１１Ａ）を成形ロール（５）で連続的に真空成形してキャップフィルムを形成するとともに、キャップ底面にバックフィルム（１２）を貼り合わせて二層構成のプラスチック気泡シートを形成し、それと同時に上記の複合シート（４）をバックフィルムの上に貼り合わせ、ついでキャップの頂を連ねてライナーフィルム（１３）を貼ってプラスチック気泡シートを三層構成とすることからなる。
【００１０】
【実施例】
厚さ３０μｍのポリエチレンフィルムに、コロナ放電による表面処理を施したのち、図２に示したような花と葉との絵柄を、２色のインキで印刷した。花と葉はピンクであり、地の部分は藍色である。この印刷の上に、ポリエチレン製の不織布「エルベス」（ユニチカ製の芯鞘構造のもの、１５ｇ／ｍ２）を、熱融着により貼り合わせ、複合フィルムを得た。
【００１１】
図３に示す構成の気泡シート製造装置を使用し、ポリエチレンのキャップフィルム（４５μｍ）を成形するとともに、アルミ蒸着を施したバックフィルム（２５μｍ）を貼り合わせ、同時に上記の複合フィルムを貼り合わせた。その後、ポリエチレンのライナーフィルム（１５μｍ）を貼り合わせ、レジャーシートを完成した。
【００１２】
【発明の効果】
本発明のレジャーシートは、ふだん乾燥しているときは、絵柄が不織布のためぼんやりとしか見えず、渋く上品な印象を与えるが、水に濡れたときは、不織布が透明性を増すため、絵柄が鮮明に見えるという変化を見せ、すこぶる趣味感に富んだものである。これを海水浴や川遊び、あるいはプールサイドの休憩に用いるときは、単なる緩衝機能つきレジャーシートを超える美観を楽しむことができる。そのほかにもこのレジャーシートは、すぐれた緩衝性能を活かして、屋内で床に敷いたり、運動会やお花見の敷物にしたりする使いみちがあることは、もちろんである。
【図面の簡単な説明】
【図１】  本発明のレジャーシートの層構成を示す断面図。
【図２】  本発明のレジャーシートの一例について、作用を説明するための平面図。
【図３】  本発明の製造方法を示す、装置主要部の断面図。
【符号の説明】
１  気泡シート
１１  キャップフィルム    １１Ａ  キャップフィルム用フィルム
１２  バックフィルム
１３  ライナーフィルム
２  絵柄フィルム
２１  プラスチックフィルム
２２  絵柄印刷
３  不織布
４  複合シート
５  成形ロール
【図１】
0004412698.tif 000002
【図２】
0004412698.tif 000003
【図３】
0004412698.tif 000004